(57)【要約】      （修正有）【課題】芝生はぎ取りの作業時間を大幅に短縮でき、芝生をはぎ取った後の道の深さが一定になり、道の両サイドがきちっと切られて再度芝生を張るときに芝生が道にきちっとはまる芝生はぎ取り機を提供する。【解決手段】トラクターの後部に連結支持アーム（４）（５）により連結支持される機枠（１）と、前記機枠の前方下部に左右の間隔を７６〜８０ｃｍほど空けて架設されかつ原動軸（７）により駆動される左右一対の回転ガイドカッター（８）と、前記機枠の中ほど下部に架設されて前記機枠が下方作業位置にあるときに接地する空転構造のウエイトローラ（１０）と、このウエイトローラを上下させる上下調節機構（１２）と、前記機枠の後方にあって前記両回転ガイドカッター間にはまり込む幅（刃の長さ）を有するソードカッター（１３）と、前記原動軸の回転を往復動に変換して前記ソードカッターを前後方向に往復動させる往復動伝達機構（１６）とを備える。【選択図】  図１
2006191861.tif 000002
【特許請求の範囲】
【請求項１】
トラクターの後部に連結支持アームにより連結支持されかつこの連結支持アームにより上方遊び位置と下方作業位置とに自在に移行される機枠と、この機枠の前面にあってトラクターのＰＴＯ軸に接続可能な原動軸と、前記機枠の前方下部に左右の間隔を７６〜８０ｃｍほど空けて架設されかつ前記原動軸により駆動される左右一対の回転ガイドカッターと、前記機枠の中ほど下部に架設されて前記機枠が下方作業位置にあるときには機枠の全重量を支えて接地する空転構造のウエイトローラと、このウエイトローラを前記機枠に対して上下方向に位置変更できるようにする上下調節機構と、前記機枠の後方にあって最終的には前記ウエイトローラの下にもぐり込みかつ前記両回転ガイドカッター間にはまり込む幅（刃の長さ）を有するソードカッターと、前記原動軸の回転を往復動に変換して前記ソードカッターを前後方向に往復動させるための往復動伝達機構とを備えたことを特徴とするトラクター牽引式芝生はぎ取り機。
【請求項２】
機枠の後面に上方に跳ね上げられるように上下方向に回動可能に連結した左右一対の保持アームと、この保持アームの先端に空転可能に保持されるカット芝生巻取用ローラと、このカット芝生巻取用ローラの前記両保持アームへの着脱を可能にするために前記両保持アームの少なくとも一方を外側に開くようにする開閉機構とを備えたことを特徴とする請求項１記載のトラクター牽引式芝生はぎ取り機。
【請求項３】
ソードカッターを機枠側（往復動伝達機構側）に対して着脱可能としてこのソードカッターを外した機枠側に、排水道付け用カッターを取り付け、この排水道付け用カッターを往復動伝達機構により前後方向に往復動させて芝生に排水道（溝）を付けるようにしたことを特徴とする請求項１記載のトラクター牽引式芝生はぎ取り機。
【発明の詳細な説明】
【技術分野】
【０００１】
本発明は、トラクターに牽引されて走行しながら芝生をはぎ取ってゆくトラクター牽引式芝生はぎ取り機に関するものである。
【背景技術】
【０００２】
従来の芝生はぎ取り機は、手押しで歩行走行しながら人力で芝生をはぎ取ってゆくというソードカッター（はぎ取り刃）の付いた構造簡単なものであるので、その作業としては手押しながらの方向性の加減もさることながら、ソードカッターを地中に押し込んで一定厚みの芝生に土付きで根切りすることが大変難しくなると共に、さらに人の押す力によることによりそのはぎ取れる芝生の幅もほぼ３８ｃｍのものに限られている。
【０００３】
かかる従来の芝生はぎ取り機の手押し部分を改善するものとして、例えば特許文献１に示すトラクターを使うものがある。しかしながら、この特許文献１の発明には、トラクターで移動しながらソードカッターで一定幅（ほぼ３７ｃｍ）に芝生を切断するということは記載されているが、ソードカッターで芝生を切断するための構成及び図示は何も記載されていない。
【特許文献１】特公平６−８５６４１号公報
【発明の開示】
【発明が解決しようとする課題】
【０００４】
本発明の解決しようとする課題は、従来の芝生はぎ取り機のように手押しで歩行走行しながら人力で芝生をはぎ取ってゆくと、手押し人力によってはぎ取れる芝生の幅がほぼ３８ｃｍに限られると共に作業速度も歩行速度の時速１．２〜３ｋｍであるので、作業に時間が掛かって重労働になるし、その上はぎ取った後の道の深さも定まらないし、道の両サイドに切りちぎりができるためにこの道に再度芝生を張るときに芝生がきちっとはまらないという点である。
【課題を解決するための手段】
【０００５】
請求項１の発明は、トラクターの後部に連結支持アームにより連結支持されかつこの連結支持アームにより上方遊び位置と下方作業位置とに自在に移行される機枠と、この機枠の前面にあってトラクターのＰＴＯ軸に接続可能な原動軸と、前記機枠の前方下部に左右の間隔を７６〜８０ｃｍほど空けて架設されかつ前記原動軸により駆動される左右一対の回転ガイドカッターと、前記機枠の中ほど下部に架設されて前記機枠が下方作業位置にあるときには機枠の全重量を支えて接地する空転構造のウエイトローラと、このウエイトローラを前記機枠に対して上下方向に位置変更できるようにする上下調節機構と、前記機枠の後方にあって最終的には前記ウエイトローラの下にもぐり込みかつ前記両回転ガイドカッター間にはまり込む幅（刃の長さ）を有するソードカッターと、前記原動軸の回転を往復動に変換して前記ソードカッターを前後方向に往復動させるための往復動伝達機構とを備えたことを特徴とするトラクター牽引式芝生はぎ取り機である。
【０００６】
請求項２の発明は、請求項１の発明において、さらに機枠の後面に上方に跳ね上げられるように上下方向に回動可能に連結した左右一対の保持アームと、この保持アームの先端に空転可能に保持されるカット芝生巻取用ローラと、このカット芝生巻取用ローラの前記両保持アームへの着脱を可能にするために前記両保持アームの少なくとも一方を外側に開くようにする開閉機構とを備えたことを特徴とする。
【０００７】
請求項３の発明は、請求項１の発明において、ソードカッターを機枠側（往復動伝達機構側）に対して着脱可能としてこのソードカッターを外した機枠側に、排水道付け用カッターを取り付け、この排水道付け用カッターを往復動伝達機構により前後方向に往復動させて芝生に排水道（溝）を付けるようにしたことを特徴とする。
【発明の効果】
【０００８】
請求項１の発明は、トラクター牽引式とすることにより従来の手押し人力のものよりも幅広（７６〜８０ｃｍ）のソードカッターが使えるようになってトラクター速度の時速５〜６ｋｍでの作業が可能になるので、作業が楽になって作業時間を大幅に短縮でき、例えば６００ｍ２での芝生はぎ取り作業が従来の手押し人力のものでは１時間３０分掛かるのが約１５分でできるようになるし、さらにソードカッターがウエイトローラにより上下の位置決めがなされるのではぎ取った後の道の深さが一定になると共に、ソードカッターの前で両回転ガイドカッターにより幅切りをするので道の両サイドがきちっと切られて再度芝生を張るときに芝生が道にきちっとはまるという効果がある。
【０００９】
請求項２の発明は、機枠の後面に保持アームによりカット芝生巻取用ローラを設けてあるので、ソードカッターにより切断されて地面に放置されるカット芝生がこのカット芝生巻取用ローラに自動で巻き取られることになり、よってソードカッターで切断したカット芝生を地面に巻物として順次置いて行けて、その後のカット芝生の収穫作業が容易になるという効果がある。
【００１０】
請求項３の発明は、ソードカッターを排水道付け用カッターに取り換えられるようにすることにより、３月から４月頃の排水道（溝）を付けるための専用機が不要になる、つまりソードカッターの芝生はぎ取り機をその使用しない時期に排水道付け機として使用できるようになるので、今まで必要であった２台の専用機が１台でまかなえるようになるという効果がある。
【発明を実施するための最良の形態】
【００１１】
トラクターで牽引する機枠に、左右一対の回転ガイドカッターとウエイトローラとソードカッターとを備え付けて、左右一対の回転ガイドカッターで道の幅切りをし、ウエイトローラとソードカッターで道の深さを決めて芝生をはぎ取るようにすることにより、実現した。
【実施例１】
【００１２】
請求項１の発明の一実施例を図１〜図７を用いて説明する。図１は本発明のトラクター牽引式芝生はぎ取り機の全体を示す側面図、図２は図１の平面図、図３は図１のソードカッターとウエイトローラの部分を示す拡大側面図、図４は図３のソードカッターを示す斜視図、図５はトラクターに連結した状態でかつ機枠が上方遊び位置にある状態を示す図、図６は図５から機枠が降下してソードカッターが地面に付いた状態を示す図、図７は図６から機枠がさらに降下して下方作業位置にある状態を示す図である。
【００１３】
図において、１はトラクター２に牽引される本機の機枠、３ａ，３ｂは機枠１の前面にそれぞれ上下２個ずつ設けた連結金具、４はトラクター２の後部上方にあって左右２個の上方連結金具３ａにそれぞれ連結接続する左右２本の上方連結支持アーム、５はトラクター２の後部下方にあって出入自在な往復動構造体に構成されかつ左右２個の下方連結金具３ｂにそれぞれ連結接続する左右２本の下方連結支持アーム、６はトラクター２の後部にあるＰＴＯ軸（回転出力軸）、７は機枠１の前面に設けた原動軸で、カップリング等の手段によりＰＴＯ軸６に接続される。
【００１４】
８は機枠１の前方下部にそれぞれ架設した左右一対の回転ガイドカッター、９は両回転ガイドカッター８を間隔７６〜８０ｃｍほど空けて保持すると共に原動軸７により駆動される回転軸、１０は機枠１の中ほど下部に架設されかつ両回転ガイドカッター８間にはまり込む幅（長さ）を有するウエイトローラ、１１はウエイトローラ１０を空転状態に保持した固定軸、１２は固定軸１１を両端でしっかりと保持した保持枠で、ハンドル操作などにより機枠１に対して上下方向に位置変更できるようにウエイトローラ１０の上下調節機構体を構成している。
【００１５】
１３は機枠１の後方にあって最終的にはウエイトローラ１０の下にもぐり込みかつ両回転ガイドカッター８間にはまり込む幅（刃の長さ）を有するソードカッター、１４は機枠１の両側に対称的に取り付けられかつ上方ピン１５を支点としてソードカッター１３の両側がそれぞれ固定支持される下方が前後方向に往復動する揺動レバー、１６は揺動レバー１４をリンク１７を介して往復動させるクランク軸で、原動軸７により駆動されてソードカッター１３の往復動伝達機構体を構成している。
【００１６】
図５に示す機枠１が上方遊び位置にある状態では、下方連結支持アーム５が伸びて機枠１の下部を後方に押し出しているので、機枠１は上方連結金具３ａの部分を中心に時計方向に少し回転して、回転ガイドカッター８及びソードカッター１３が地面から離れている。よって、この状態で本機の輸送、移動が可能となる。
【００１７】
図７に示す機枠１が下方作業位置にある状態では、下方連結支持アーム５が縮んで（元に戻って）機枠１の下部を前方に引き戻しているので、機枠１は上方連結金具３ａの部分を中心に反時計方向に少し回転して、回転ガイドカッター８及びソードカッター１３が地面にめり込んでいる。よって、この状態で本機の作業が可能となる。
【００１８】
保持枠１２はウエイトローラ１０を上方からその両側をしっかりと抱き込むように保持すると共に、自身は機枠１に上下動可能にしっかりと嵌め込まれているので、機枠１の全重量をウエイトローラ１０に均等に掛けることができるし、ウエイトローラ１０の走行中の浮き上がりを防止できる。その際、ウエイトローラ１０は固定軸１１に対して空転して地面を転びながら走行するので、芝生を傷めることがない。
【００１９】
保持枠１２の上下位置調節が機枠１に対して正確に位置変更されるので、ウエイトローラ１０とソードカッター１３との距離が確実に決まり、カット芝生の長さが設定通りに正確なものになるし、走行に対して常に一定になる。
【００２０】
ソードカッター１３は両側の側板部１３ａが回転ガイドカッター８の切り筋に嵌って誘導されることにより、スムーズに芝生の根切りをすることができるし、同時にウエイトローラ１０により上方位置決めがなされることにより間隔が不変となって、道の深さが一定になる。
【００２１】
今、現場において、芝生のはぎ取り作業をするときには、図５に示す機枠１の上方遊び位置の状態で、ＰＴＯ軸６の駆動によりソードカッター１３を前後動させる。ソードカッター１３を駆動したまま、下方連結支持アーム５を引いて機枠１を降下させながら本機をゆっくりと走行させてゆくと図６に示すようにソードカッター１３が地面に自然にもぐり込み、図７に示す機枠１の下方作業位置（状態）へとスムーズに移行する。
【００２２】
図７の状態では、本機の走行により、駆動した両回転ガイドカッター８によりカット芝生の所定幅（７６〜８０ｃｍほど）をおいて二条の切り筋が入り、ウエイトローラ１０で芝生面を上から押え付けた状態でその下にもぐり込むソードカッター１３により一定厚みの芝生に土付きで根切りされてゆく。なお、このように土付きで根切りされたカット芝生は、そのまま道内に嵌ったまま放置されるので、その後に人力あるいは機械で巻き取って処理する。
【００２３】
このようにソードカッター１３がウエイトローラ１０により上下の位置決めがなされるとはぎ取った後の道の深さが一定になるし、ソードカッター１３の前で両回転ガイドカッター８により幅切りをすると道の両サイドがきちっと切られるので、再度芝生を張るときに芝生が道にきちっと嵌るようになる。そして、このようにトラクター２で牽引することにより、従来の手押し人力のものよりも幅広（７６〜８０ｃｍ）のソードカッター１３が使えるようになってトラクター速度の時速５〜６ｋｍでの作業が可能になるので、作業が楽になって作業時間を大幅に短縮できる。例えば６００ｍ２での芝生はぎ取り作業が従来の手押し人力のものでは１時間３０分掛かるのが、約１５分でできるようになる。
【実施例２】
【００２４】
請求項２の発明の一実施例を図１〜図８を用いて説明する。図１〜図７は前記した実施例１のものをそのまま援用するのでここでは説明を省略する。図８は図２と同じく本機全体を上からみた図である。
【００２５】
図において、１８は機枠１の後面に架設した横軸、１９は横軸１８に上下方向に回動可能に取り付けられて上方に跳ね上がる支持体、２０は支持体１９の両側にそれぞれ外側に開くように取り付けた左右一対の保持アーム、２１は保持アーム２０を外側に開かないように止めるためのスプリング、２２は両保持アーム２０の先端間に空転可能に保持されるカット芝生巻取用ローラで、その幅（ローラ長さ）はソードカッター１３によりはぎ取られるカット芝生を巻ける長さを有している。なお、左右一対の保持アーム２０はどちらか一方が外側に開けば良い。
【００２６】
各図に示すように機枠１の後面に保持アーム２０により保持されるカット芝生巻取用ローラ２２を設けておくと、ソードカッター１３により切断されて地面に放置されるカット芝生をこのカット芝生巻取用ローラ２２に自動で巻き取ってゆくことができるので、ソードカッター１３で切断したカット芝生を地面に巻物として順次置いて行けて、その後のカット芝生の収穫作業が容易に行えるようになる。
【００２７】
その際、作業中にカット芝生巻取用ローラ２２へのカット芝生の巻き量が多くなると、図８中点線で示すように保持アーム２０をスプリング２１に抗して外側に開いてカット芝生巻取用ローラ２２を外し、巻取られた芝生を地上に放置すると共に、再びカット芝生巻取用ローラ２２を保持アーム２０をスプリング２１に抗して外側に開いて両保持アーム２０間に取り付ければ、すぐさまはぎ取り作業を継続することができる。
【実施例３】
【００２８】
請求項３の発明の一実施例を図１〜図３及び図９〜図１１を用いて説明する。図１〜図３は前記した実施例１のものをそのまま援用するのでここでは説明を省略する。図９は排水道付け用カッターを示す斜視図、図１０は図９の排水道付け用カッターで排水道を付けてゆく状態を示す図、図１１は排水道を示す図である。
【００２９】
図において、２３は排水道付け用カッターで、４本の溝切り刃２４を備えている。この排水道付け用カッター２３の両側板には、ソードカッター１３を外した後の揺動レバー１４の下方取付穴１４ａに対応する取付穴２３ａをそれぞれ有していて、ボルトなどにより揺動レバー１４の下方取付穴１４ａに取り付けられるようになっている。
【００３０】
図１０に示すように排水道付け用カッター２３を揺動レバー１４の下方取付穴１４ａに取り付けた状態では、本機は排水道付け用の作業機となり、トラクター２で走行することにより各溝切り刃２４により四条の排水道（溝）を入れることができる（図１１参照）。その際、回転ガイドカッター８は不要なので外しておくとよいし、またカット芝生巻取用ローラ２２も不要なので支持体１９及び保持アーム２０毎横軸１８から外しておくとよい（場合によっては、上方に跳ね上げるようにしてもよい）。なお、排水道（溝）の深さ（位置）は、ソードカッター１３の場合と同様にウエイトローラ１０を上下動させることにより調節（８〜１５ｃｍ）できることは勿論である。
【００３１】
このように排水道付け用カッター２３をソードカッター１３を外した後の揺動レバー１４の下方取付穴１４ａに取り付けることにより、本機を排水道付け用の作業機として利用できるようになるので、３月から４月頃の排水道（溝）を付けるための専用機が不要になる。つまり、ソードカッター１３の芝生はぎ取り機をその使用しない時期に排水道付け機として使用できるようになるので、今まで必要であった２台の専用機が１台でまかなえるようになる。
【産業上の利用可能性】
【００３２】
本発明は、トラクターに牽引されて走行しながら芝生をはぎ取ってゆくトラクター牽引式芝生はぎ取り機に広く活用できると共に、トラクター牽引式の排水道付け用作業機としても活用できる。
【図面の簡単な説明】
【００３３】
【図１】本発明の実施例１を示す全体側面図である。
【図２】図１の平面図である。
【図３】図１のソードカッターとウエイトローラの部分を示す拡大側面図である。
【図４】図３のソードカッターを示す斜視図である。
【図５】トラクターに連結した状態でかつ機枠が上方遊び位置にある状態を示す図である。
【図６】図５から機枠が降下してソードカッターが地面に付いた状態を示す図である。
【図７】図６から機枠がさらに降下して下方作業位置にある状態を示す図である。
【図８】本発明の実施例２を示す平面図である。
【図９】本発明の実施例３を示す排水道付け用カッターの斜視図である。
【図１０】図９の排水道付け用カッターで排水道を付けてゆく状態を示す図である。
【図１１】排水道を示す図である。
【符号の説明】
【００３４】
１：機枠
２：トラクター
３ａ：上方連結金具
３ｂ：下方連結金具
４：上方連結支持アーム
５：下方連結支持アーム
６：ＰＴＯ軸
７：原動軸
８：回転ガイドカッター
９：回転軸
１０：ウエイトローラ
１１：固定軸
１２：保持枠
１３：ソードカッター
１４：揺動レバー
１４ａ：下方取付穴
１５：上方ピン
１６：クランク軸
１７：リンク
１８：横軸
１９：支持体
２０：保持アーム
２１：スプリング
２２：カット芝生巻取用ローラ
２３：排水道付け用カッター
２３ａ：取付穴
２４：溝切り刃
【図１】
2006191861.tif 000003
【図２】
2006191861.tif 000004
【図３】
2006191861.tif 000005
【図４】
2006191861.tif 000006
【図５】
2006191861.tif 000007
【図６】
2006191861.tif 000008
【図７】
2006191861.tif 000009
【図８】
2006191861.tif 000010
【図９】
2006191861.tif 000011
【図１０】
2006191861.tif 000012
【図１１】
2006191861.tif 000013